(57)【要約】【課題】車両運転者や通行人などに対して理解し易い誘導合図を送ることができる携帯用誘導灯を提供することを目的とする。【解決手段】複数の発光素子２４を収容した円筒状の発光体部２と、前記発光体部２に結合し、電池４０を収容した把持部３と、前記複数の発光素子２４を点滅させる点滅回路４２と、からなり、前記発光体部２からの発光色が少なくとも２色に可変で、切替スイッチ４３によっていずれか１色を選択的に発光できるように構成した。【選択図】　　　　図１
2004087441.tif 000002
【特許請求の範囲】
【請求項１】
道路における車両交通整理を行う際に使用する携帯用の誘導灯であって、
複数の発光素子を収容した円筒状の発光体部と、
前記発光体部に結合し、電池を収容した把持部と、
前記複数の発光素子を点滅させる点滅回路と、からなり、
前記発光体部からの発光色が少なくとも２色に可変で、いずれか１色を選択的に発光できるように構成したことを特徴とする、
携帯用の誘導灯。
【請求項２】
請求項１に記載する携帯用誘導灯において、
手動スイッチまたは傾斜スイッチからなる切替スイッチによって発光色を選択的に切り替えることを特徴とする、携帯用誘導灯。
【発明の詳細な説明】
【０００１】
【発明の属する技術分野】
本発明は、道路工事等の工事現場やイベント会場の駐車場などで車両交通整理のために使用する携帯用誘導灯に関するものである。
【０００２】
【従来の技術】
従来、道路工事等の工事現場においては、道路の車線を減らしたり、道路の片側１車線を交互通行にするなどの車線規制がしばしば行なわれている。このような車線規制を実施する際、交通整理員は旗または発光式の誘導灯を持って自動車の通行を整理している。
この誘導灯は、透光カバー体を赤に着色して光が透過したとき赤色を呈するようにするか、赤色の光を無色の透光カバー体から透過させることによって注意をひくものである。そして車両交通整理の際に誘導灯を縦や横に振って、「止まれ」や「進め」などの合図を送っている。
【０００３】
【発明が解決しようとする課題】
しかしながら、前記した従来の誘導灯にあっては、次のような問題点がある。＜イ＞車の運転手は、交通整理員による誘導灯の振り方で進行と停止を識別しなければならず、見分けにくい。また振る動作の形態が共通化されていないため、合図の意味があいまいで十分に理解できない。
＜ロ＞特に、高速道路の工事現場等においては、遠方の運転手に対して工事現場を明確に知らせて事故を防止する必要がある。しかし、夜間は遠近感が悪くなるので、交通整理員が赤い棒状の誘導灯を振っていても、自分の方が進行してもよいのか否かの判断が困難であり、停止の指示を受けているにも拘わらず、誤って進行することがあった。
【０００４】
【発明の目的】
本発明は上記したような従来の問題点に鑑みて考えられたもので、車両運転者や通行人などに対して理解し易い誘導合図を送ることができる携帯用誘導灯を提供することを目的とする。
【０００５】
【課題を解決するための手段】
上記のような目的を達成するために、本発明の携帯用誘導灯は、道路における車両交通整理を行う際に使用する携帯用の誘導灯であって、複数の発光素子を収容した円筒状の発光体部と、前記発光体部に結合し、電池を収容した把持部と、前記複数の発光素子を点滅させる点滅回路と、からなり、前記発光体部からの発光色が少なくとも２色に可変で、いずれか１色を選択的に発光できるように構成したことを特徴とする。
【０００６】
ここで、手動スイッチまたは傾斜スイッチからなる切替スイッチによって発光色を選択的に切り替えることができる。
【０００７】
【発明の実施の形態１】
以下図面を参照しながら、本発明に係る一実施の形態について説明する。
【０００８】
＜イ＞携帯用誘導灯（図１）
携帯用誘導灯１は、手で握る把持部３と、この把持部３に結合された発光体部２とからなり、全体が細長い円筒状を呈する。
【０００９】
＜ロ＞発光体部（図１）
発光体部２は、硬質合成樹脂製の透明カバー体２０で覆われ、内部に複数の発光素子２４を収容している。透明カバー体２０の内側に、光を散乱させ、四方に放散させる光散乱透明シート２１を張り付ける。
発光素子２４は、例えば輝度・耐久性のすぐれた発光ダイオードである。この発光ダイオード２４を軸線方向へ延びる導電線２２、２３の所要箇所に複数取り付け、さらに導電線２２、２３を後述する電気系統部４へ接続する。
発光ダイオード２４には、例えば赤色に発光するものと、緑色に発光するものと２種類ある。赤色に発光する発光ダイオード２４Ｒを一方の導電線２２に溶接などで固着し、緑色に発光する発光ダイオード２４Ｇを他方の導電線２３に固着し、赤色１列、緑色１列のように互いに並設する。
複数個の発光ダイオード２４Ｒ、２４Ｇを適宜間隔で接続しているので、発光体部２が長尺であっても全体から光をほぼ均等に放散させることが可能である。
【００１０】
＜ハ＞把持部
把持部３は硬質合成樹脂からなり、片手で握り持つことができるように円筒形に形成する。また把持部３は２〜３個の電池４０を直列に配置する電池ケース３０を兼ねる。
把持部３の一端には、電池４０を交換するための蓋３１を着脱可能に取り付ける。
また、把持部３の発光体部２側に電気系統部４を組み込んでいる。
【００１１】
＜ニ＞電気系統部
電気系統部４は、電池４０、電源スイッチ４１、点滅回路４２及び切替スイッチ４３からなり、図２の電気ブロック図に示すように電池４０は、電源スイッチ４１を介して点滅回路４２に接続され、さらに切替スイッチ４３を介して各発光ダイオード２４Ｒ、２４Ｇに接続する。
電源スイッチ４１及び切替スイッチ４３は、押しボタン方式やスライド方式を用いることができる。本例は押しボタン方式で、スイッチ孔３２、３３に電源スイッチ４１及び切替スイッチ４３の夫々の一端が突出し、外側を防水ゴムカバー３４、３５で覆い、指で押してスイッチ４１、４３を操作する。
点滅回路４２によって各発光ダイオード２４Ｒ、２４Ｇに通電する電流を断続させて、各発光ダイオード２４Ｒ、２４Ｇを点滅させる。点滅させる電気回路の１例を図３に示す。
コンデンサＣが充放電を繰り返すことにより、トランジスタＴＲ１のベース電圧が変化してオン・オフするため、トランジスタＴＲ２もオン・オフするので、結果的に発光ダイオード２４Ｒ、２４Ｇのいずれかが一定周期で点滅する。コンデンサＣの充放電は、発光ダイオード２４Ｒ、２４Ｇの点滅の影響を受けているため、電源スイッチ４１を切るまでこの動作を繰り返す。
なお、点滅周期を変化させるには、抵抗Ｒの大きさを変えればよく、大きな抵抗であればゆっくりした点滅となり、小さな抵抗であれば早い点滅となる。
切替スイッチ４３は２個の接点４４、４５を有しており、接点４４はは赤色の発光ダイオード２４Ｒを点滅させ、接点４５は緑色の発光ダイオード２４Ｇを点滅させる。
【００１２】
次に、携帯用誘導灯１を使用する場合について説明する。
交通整理員が、このように構成された携帯用誘導灯１の電源スイッチ４１を閉路すると、点滅回路４２が動作して、各発光ダイオード２４Ｒ、２４Ｇの点滅を開始し、赤色または緑色に発光した光が光散乱透明シート２１、透光カバー体２０を透過して放散する。
このとき切替スイッチ４３を交互に操作して、停止させる場合は赤色に発光させ、進行させる場合は緑色に発光させる。赤（止まれ）から緑（進め）、また赤（止まれ）のごとく発光色が変化するので、自動車の運転手は交通整理員の指示を見誤ることなく、スムーズに通行することができる。発光体部２に配置した各発光ダイオード２４Ｒ、２４Ｇは、連続的な点灯ではなく、点滅させているので、識別が容易である。
なお、発光色を赤色と緑色の例を示したが、他の色であってもよい。
通常の懐中電灯と同様に、使用しないときは電源スイッチ４１をオフの位置に戻し、また電池４０が放電しつくしたときは蓋３１を外して新しい電池４０と交換する。
【００１３】
【発明の実施の形態２】
切替スイッチとして小型の傾斜スイッチ５を使用してもよい。図４に傾斜スイッチ５を内蔵した携帯用誘導灯１を示す。
傾斜スイッチ５は傾けることによってスイッチを切り替えるもので、その１例を図５（Ａ）に示す。
スイッチ本体５０には３個の配線端子５２、５３、５４が設けられ、またピン５５がケース５１のテーパ孔５６に向けて進退可能に突出している。ケース５１内には重り球５７が遊動自在にテーパ孔５６に嵌まり込んでピン５５を押している。
スイッチ本体５０の内部配線は、例えば図５（Ｂ）に示すようになっており、配線端子５２−５３通電と配線端子５２−５４通電がピン５５を押して切り替わる。配線端子５２は点滅回路４２につながり、配線端子５３、５４は夫々接点４４、４５に相当する。
傾斜スイッチ５の矢印方向への傾斜により重り球５７がテーパ孔５６から転がり出るので、携帯用誘導灯１を振り下ろすだけでスイッチが切り替わる。
【００１４】
【本発明の効果】
本発明は、以上説明したようになるから次のような効果を得ることができる。＜イ＞発光色を例えば赤色、緑色の２色に変化させることができるので、その色のもつ意味より車両運転者や通行人は「進め」や「止まれ」などの誘導合図を容易にかつ確実に理解でき、円滑で安全な交通整理が可能になる。
＜ロ＞少なくとも２色切替の発光色を点滅発光させるので、夜間でも両方向に走行する自動車の運転手に対し、進行または停止の適確な指示を与えることができる。
【図面の簡単な説明】
【図１】本発明の携帯用誘導灯の断面図。
【図２】電気ブロック図。
【図３】電気回路図。
【図４】本発明の他の実施例を示す断面図。
【図５】傾斜スイッチの１例を示す図で、（Ａ）はその断面図、（Ｂ）は内部配線図。
【符号の説明】
１・・・・携帯用誘導灯
２・・・・発光体部
２４・・・発光ダイオード
３・・・・把持部
４０・・・電池
４２・・・点滅回路
４３・・・切替スイッチ
５・・・・傾斜スイッチ
【図１】
2004087441.tif 000003
【図２】
2004087441.tif 000004
【図３】
2004087441.tif 000005
【図４】
2004087441.tif 000006
【図５】
2004087441.tif 000007